(57)【要約】【課題】製作コストおよび部材コストが安価で、現場への搬送そして組み立てが容易であると共に、上面及び起立面の強度が高いふとん籠を形成可能な一組のふとん籠セットおよびこのふとん籠セットを用いたふとん籠を提供すること。【解決手段】石詰め可能な一組の石籠セットにおいて、底網面部２ｃと折り返し可能となる様に備え付けられた左網面部２ｄ、右網面部２ｅ、左半上網面部２ｆ、右半上網面部２ｇが枠線２ａで縁取りされた一枚の連続した金網地２ｂにより形成されていると共に、隣り合う各網面部の境界の骨線２ｈを軸線として折り曲げることで左網面部、右網面部、左半上網面部、右半上網面部の各網面部を組み立て形成可能にしてある一枚板の本体部２と、前網面部３および後網面部４と、この前網面部および後網面部を本体部にそれぞれ組み付け可能な第１結合部材５と、左右分割状の左半上網面部および右半上網面部を蓋部７として閉じ可能な第２結合部材６からなる。【選択図】　　図１
2004060182.tif 000002
【特許請求の範囲】
【請求項１】
石詰め可能な一組の石籠セットにおいて、
底網面部と、この底網面部に連続している左網面部および右網面部と、左網面部に連続している左半上網面部と、右網面部に連続している右半上網面部が、枠線で縁取りされた一枚の連続した金網地により形成されていると共に、隣り合う各網面部の境界に辺としての骨線を有していて、この骨線を軸線として折り曲げることで左網面部、右網面部、左半上網面部、右半上網面部の各網面部を組み立て形成可能にしてある一枚板の本体部と、
この本体部に組み付け可能な前網面部および後網面部と、
この前網面部および後網面部を本体部にそれぞれ組み付け可能な第１結合部材と、
左右分割状の前記左半上網面部および右半上網面部を蓋部として閉じ可能な第２結合部材からなる一組のふとん籠セット。
【請求項２】
請求項１記載のふとん籠セットを組み立ててなるふとん籠。
【発明の詳細な説明】
【０００１】
【発明の属する技術分野】
本発明は、海岸や河川の護岸、水制に用いられている石詰め籠用として有用な一組のふとん籠セットおよびこのふとん籠セットを用いたふとん籠に関する。
【０００２】
【従来の技術】
海岸や河川の護岸、水制に用いられているふとん籠は、左網面部と右網面部が折り返し可能となる様に備え付けられた底網面部と、前網面部、後網面部、上網面部の各網面部に分割形成されていて、その隣り合う側縁部分を結合コイルで接続することにより、箱状に組み立てられるようにしてある。このような構成のふとん籠では、左網面部と右網面部が折り返し可能となる様に備え付けられた底網面部と前網面部、後網面部、上網面部の面を形成する金網と、面の周囲を縁取りする枠線とからなる態様に、個々に成形するものであるから、その製作コストおよび部材コストが高いものになっている。
また、施工現場までの運搬は、箱状に組み立てた状態では嵩張るだけであるため、各網面部がばらばらの状態で現場に運び込み、現場で組み立てるようにしてある。それにともない、現場への搬送については大量に運び込むことができる反面、左網面部と右網面部が折り返し可能となる様に備え付けられた底網面部、前網面部、後網面部、上網面部の各網面部と結合コイルを１セットとして用意して備えることになるため、籠体だけでも４個の各網面部を管理することになり、部材点数が多いことによる管理の手数と共に、４個の各網面部を結合コイルで接続して組み立てる手間が増えてしまうことで、現場での組立作業が大変である。
さらに、上網面部は、金網とこれの周囲を縁取る枠線からなる態様のものであることによって、金網以上の面強度を望めない構造である。
【０００３】
【発明が解決しようとする課題】
解決しようとする課題は、製作コストおよび部材コストが安価で、現場への搬送そして組み立てが容易であると共に、上面及び起立面の強度が高いふとん籠を形成可能な一組のふとん籠セットおよびこのふとん籠セットを用いたふとん籠を提供することにある。
【０００４】
【課題を解決するための手段】
本発明は前記した課題を達成するため、一組のふとん籠セットでは、石詰め可能な一組の石籠セットにおいて、底網面部と、この底網面部に折り返し可能となる様に備え付けられた左網面部および右網面部と、左網面部に折り返し可能となる様に備え付けられた左半上網面部と、右網面部に折り返し可能となる様に備え付けられた右半上網面部が、枠線で縁取りされた一枚の連続した金網地により形成されていると共に、隣り合う各網面部の境界に辺としての骨線を有していて、この骨線を軸線として折り曲げることで左網面部、右網面部、左半上網面部、右半上網面部の各網面部を組み立て形成可能にしてある一枚板の本体部と、この本体部に組み付け可能な前網面部および後網面部と、この前網面部および後網面部を本体部にそれぞれ組み付け可能な第１結合部材と、左右分割状の前記左半上網面部および右半上網面部を蓋部として閉じ可能な第２結合部材からなることを特徴とする。
そして、ふとん籠では、前記したふとん籠セットを組み立ててなることを特徴とする。
本発明における本体部と前網面部と後網面部を形成する金網、枠線、結合コイル等の結合部材は、亜鉛メッキ線、亜鉛−アルミメッキ線等の各種メッキ線を含み、施工現場の条件等を考慮して適宜の線材が用いられることになる。
【０００５】
【発明の実施の形態】
図１は本発明の一組のふとん籠セットにおける実施の１形態を例示しており、ふとん籠セット１は、本体部２、前網面部３、後網面部４、第１結合コイル５、第２結合コイル６とで構成してある。
本体部２は、枠線２ａで縁取りされた一枚の連続した金網地２ｂにより形成しており、底網面部２ｃと、この底網面部２ｃの左右に連続している左網面部２ｄおよび右網面部２ｅと、左網面部２ｄの左方に連続している左半上網面部２ｆと、右網面部２ｅの右方に連続している右半上網面部２ｇとで構成している。そして、この一枚板からなる本体部２における左右方向に隣り合う各網面部２ｃ、２ｄ、２ｅ、２ｆ、２ｇの境界に辺としての骨線２ｈをそれぞれ通し、この骨線２ｈを枠線２ａと玉結び９にて結合し、この骨線２ｈを軸線として折り曲げることで、左網面部２ｄ、右網面部２ｅ、左半上網面部２ｆ、右半上網面部２ｇの各網面部を組み立て形成可能にしてある。
【０００６】
前網面部３は、枠線３ａで縁取りされた金網地３ｂにより形成してある。同様に、後網面部４は、枠線４ａで縁取りされた金網地４ｂにより形成してある。第１結合コイル５は、前網面部３および後網面部４を本体部２にそれぞれ組み付け可能に形成してある。第２結合コイル６は、左右分割状の左半上網面部２ｆおよび右半上網面部２ｇを蓋部７として閉じ可能に形成してある。
【０００７】
図２〜図３には本発明に係る一組のふとん籠セットを用いたふとん籠における実施の一形態として、図１の一組のふとん籠セットを用いたふとん籠を例示している。
ふとん籠８は、底網面部２ｃ左右側縁位置の骨線２ｈを軸線として、左網面部２ｄおよび右網面部２ｅを折り曲げ可能なように骨線２ｈと枠線２ａが玉結び９で結合しており、起立状に立ち上げられる様に形成してある。また、底網面部２ｃ前縁および左右両網面部２ｄ、２ｅ前縁には前網面部３を第１結合コイル５で接続して起立状に組み付けてあると共に、底網面部２ｃ後縁および左右両網面部２ｄ、２ｅ後縁には後網面部４を第１結合コイル５で接続して起立状に組み付けてある。
そして、籠内に石詰めされた後には、左網面部２ｄおよび右網面部２ｅ上縁位置の骨線２ｈを軸線として、左右分割状の左半上網面部２ｆおよび右半上網面部２ｇを折り曲げて閉じると共に、この左半上網面部２ｆおよび右半上網面部２ｇにおける左右に隣り合う側縁同士を、上下に隣り合う左半上網面部２ｆおよび右半上網面部２ｇの前縁と前網面部３上縁を、上下に隣り合う左半上網面部２ｆおよび右半上網面部２ｇの後縁と後網面部４上縁を、それぞれ第２結合コイル６で接続して、蓋部７として閉じてある。
【０００８】
【発明の効果】
Ａ．請求項１により、底網面部、左網面部、右網面部、左半上網面部、右半上網面部が枠線で縁取りされた一枚の連続した金網地により形成した一枚板の本体部と、前網面部と、後網面部と、第１および第２結合部材とによる小部材数にしてあるため、製作コストおよび部材コストが安価で、現場への搬送そして組み立てが容易である。
そして、左右分割状の左半上網面部および右半上網面部を蓋部として閉じることで、左半上網面部および右半上網面部の隣り合う側縁における枠線部分が籠上面中央を横断して顕在することになるため、上面強度が高い布団籠とすることができる。
Ｂ．請求項２により、底網面部、左網面部、右網面部、左半上網面部、右半上網面部が枠線で縁取りされた一枚の連続した金網地により形成した一枚板の本体部と、前網面部と、後網面部と、第１および第２結合部材とによる小部材点数にしてあるため、製作コストおよび部材コストが安価であると共に、現場への搬送そして組み立てを容易に行うことができる。
そして、左右分割状の左半上網面部および右半上網面部を蓋部として第２結合部材で閉じることにより、左半上網面部および右半上網面部の隣り合う側縁における枠線部分が籠上面中央を横断して顕在するから、上面強度が高い布団籠とすることができる。
【図面の簡単な説明】
【図１】本発明の一組のふとん籠セットにおける実施の１形態を例示している展開図。
【図２】本発明の一組のふとん籠セットを用いた布団籠における実施の１形態を例示している斜視図。
【図３】本発明の一組のふとん籠セットを用いた布団籠における石詰め作業時の形態を例示している斜視図。
【符号の説明】
１…ふとん籠セット　　　　　　　　２…本体部
２ａ、３ａ、４ａ…枠線　　　　　　２ｂ、３ｂ、４ｂ…金網地
２ｃ…底網面部　　　　　　　　　　２ｄ…左網面部
２ｅ…右網面部　　　　　　　　　　２ｆ…左半上網面部
２ｇ…右半上網面部　　　　　　　　２ｈ…骨線
３……前網面部　　　　　　　　　　４……後網面部
５……第１結合コイル（第１結合部材）
６……第２結合コイル（第２結合部材）
７……蓋部　　　　　　　　　　　　８……ふとん籠
９……玉結び
【図１】
2004060182.tif 000003
【図２】
2004060182.tif 000004
【図３】
2004060182.tif 000005